(57)【要約】【課題】  薬液Ｇによる洗浄後に浄水槽１１内の浄水Ｗを入れ替えたりする必要がなく、効率的な濾過作業を図ることができ、また多数の濾過モジュール３を浄水槽１１内に設置する場合でも複雑な配管の設置や接続を要することがなく、この濾過モジュール３を確実に洗浄する。【解決手段】  濾過される浄水Ｗが導入される浄水槽１１内に設置されて浄水Ｗが内部に導入可能とされた有底筒状のケーシング２内に収容された濾過モジュール３を、搬送手段２２によってケーシング２内から搬送し、洗浄槽２１Ａ内に収容したこの濾過モジュール３に薬液供給手段２１を接続して薬液Ｇを供給することにより洗浄する。【選択図】        図１
2006181435.tif 000002
【特許請求の範囲】
【請求項１】
濾過される浄水が導入される浄水槽内、または該浄水槽内に設置されて上記浄水が内部に導入可能とされた有底筒状のケーシング内に収容された濾過モジュールを、搬送手段によって上記浄水槽内またはケーシング内から搬送し、洗浄槽内に収容したこの濾過モジュールに薬液供給手段を接続して薬液を供給することにより洗浄することを特徴とする濾過モジュールの洗浄方法。
【請求項２】
上記濾過モジュールは上記ケーシング内に収容されており、上記搬送手段によってこのケーシングごと該濾過モジュールを上記浄水槽内から搬送するとともに、該ケーシングを上記洗浄槽として上記濾過モジュールを収容したまま洗浄することを特徴とする請求項１に記載の濾過モジュールの洗浄方法。
【請求項３】
濾過される浄水が導入される浄水槽内、または該浄水槽内に設置されて上記浄水が内部に導入可能とされた有底筒状のケーシング内に収容された濾過モジュールを、上記浄水槽内またはケーシング内から搬送する搬送手段と、この搬送手段によって搬送されて洗浄槽内に収容された上記濾過モジュールに接続されて薬液を供給する薬液供給手段とを備えることを特徴とする濾過モジュールの洗浄装置。
【請求項４】
上記濾過モジュールは上記ケーシング内に収容されていて、このケーシングごと上記搬送手段によって上記浄水槽内から搬送されるとともに、該ケーシングが上記濾過モジュールを収容したまま上記洗浄槽とされることを特徴とする請求項３に記載の濾過モジュールの洗浄装置。
【発明の詳細な説明】
【技術分野】
【０００１】
本発明は、浄水場において濾過される浄水が導入される浄水槽内、またはかかる浄水槽内に設置される有底筒状のケーシング内に収容された濾過モジュールを洗浄するための濾過モジュールの洗浄方法および洗浄装置に関するものである。
【背景技術】
【０００２】
浄水場において浄水を濾過する濾過装置としては、例えば特許文献１に、濾過槽内の上部に膜モジュールが配設されるとともに、濾過槽の底部には汚泥掻寄機が備えられた浸漬型の膜濾過装置が記載されている。また、特許文献２には、同様に浄水（上水）の浄化処理に用いられる浸漬型膜濾過装置の洗浄方法として、膜に有機物等の汚れが生じた際に、濾過される原水が流入する浸漬槽に膜モジュールを収容したまま、膜の濾過水側から次亜塩素酸等の薬液を注入して膜の薬液洗浄を行う方法や、膜モジュールを浸漬槽から薬液を貯留した洗浄槽に移して浸漬することにより洗浄を行う洗浄方法が提案されている。
【特許文献１】特開平１０−２３０２６１号公報
【特許文献２】特開平１１−２１６３４２号公報
【発明の開示】
【発明が解決しようとする課題】
【０００３】
しかしながら、上記特許文献２に記載されたうち、膜の濾過水側から薬液を注入する洗浄方法では、注入された薬液が膜を通って浸漬槽中にも分散してしまうため、濾過作業を再開したときにこのような薬液が分散して高い濃度で残留した浄水が濾過されてそのまま上水道に供給されるのを防ぐには、洗浄終了後に浸漬槽内の原水（浄水）をすべて排出してから、改めて濾過すべき浄水を浸漬槽に導入しなければならず、例えば容量の小さな浸漬槽において濾過を行う場合はまだしも、浄水場の浄水槽のような規模の大きな浸漬槽に浸漬された膜モジュールの洗浄に適用することは実質的に不可能である。その一方で、薬液を貯留した洗浄槽に膜モジュールを浸漬して洗浄する方法では、たとえ濾過膜に振動を与えたり薬液を流動させたりしても、膜の奥にまで入り込んだ汚れを十分に洗浄することは困難である。
【０００４】
また、本発明の発明者は、先に特願２００３−３０７３１号において、浄水場等の沈殿池（浄水槽）のような原水（濾過される浄水）が導入される貯水槽等内に浸漬されて設置される濾過ユニットであって、上記貯水槽等内の原水が導入可能とされた有底筒状のケーシング内に、膜モジュール等の濾過モジュールと、ケーシング内の原水を排出する排出手段とが備えられた濾過ユニットを提案している。従って、かかる濾過ユニットによれば、たとえ濾過モジュールの濾過水側に薬液を注入して洗浄を行っても、この洗浄中はケーシング内と貯水槽等内との原水の流通を遮断しておくことにより、ケーシング内に薬液が分散されてもこれが浄水槽等の貯水槽内全体に拡散するのは避けることができる。
【０００５】
ところが、このような濾過モジュールをケーシング内に収容した濾過ユニットを貯水槽等に浸漬して浄水の濾過を行う場合でも、濾過モジュールの洗浄後に濾過作業を再開するときには、ケーシング内の薬液が分散した原水を上記排出手段によりすべて排出した後で、該ケーシング内に濾過すべき原水を改めて導入しなければならず、洗浄後に貯水槽等内の原水をすべて排出して原水を入れ替えるような事態は避けることができるものの、濾過作業の効率が損なわれるのは免れない。また、例えばこの貯水槽に多数の濾過ユニットが浸漬されて設置されている場合には、これらの濾過ユニットの濾過モジュールすべてに薬液を供給する供給手段を接続しておかなければならず、供給配管の設置や接続などが煩雑となってしまう。これは、多数の濾過モジュールを浄水槽内に直接浸漬した場合でも同様である。
【０００６】
本発明は、このような背景の下になされたもので、上述のような浄水槽内に浸漬されて設置される濾過ユニットの濾過モジュールを薬液により洗浄する際や、あるいは浄水槽内に直接的に浸漬された濾過モジュールを洗浄する際にも、洗浄後にこの浄水槽内の浄水を入れ替えたりする必要がないのは勿論、効率的な濾過作業を図ることができ、また多数の濾過モジュールを浄水槽内に設置する場合でも複雑な配管の設置や接続を要することがなく、そしてこの濾過モジュールを確実に洗浄することが可能な濾過モジュールの洗浄方法および洗浄装置を提供することを目的としている。
【課題を解決するための手段】
【０００７】
上記課題を解決して、このような目的を達成するために、本発明の濾過モジュールの洗浄方法は、濾過される浄水が導入される浄水槽内、または該浄水槽内に設置されて上記浄水が内部に導入可能とされた有底筒状のケーシング内に収容された濾過モジュールを、搬送手段によって上記浄水槽内またはケーシング内から搬送し、洗浄槽内に収容したこの濾過モジュールに薬液供給手段を接続して薬液を供給することにより洗浄することを特徴とする。また、本発明の濾過モジュールの洗浄装置は、濾過される浄水が導入される浄水槽内、または該浄水槽内に設置されて上記浄水が内部に導入可能とされた有底筒状のケーシング内に収容された濾過モジュールを、上記浄水槽内またはケーシング内から搬送する搬送手段と、この搬送手段によって搬送されて洗浄槽内に収容された上記濾過モジュールに接続されて薬液を供給する薬液供給手段とを備えることを特徴とする。
【発明の効果】
【０００８】
従って、このような洗浄方法および洗浄装置によれば、浄水槽内に直接的に、または該浄水槽内に設置されたケーシング内に収容された濾過モジュールは、薬液による洗浄の際には搬送手段によって一旦浄水槽から搬送されて洗浄槽内に収容されるため、薬液が浄水槽内の濾過すべき浄水に分散してしまうようなことはなく、洗浄後にこの浄水槽内やケーシング内の濾過されるべき浄水を入れ替えてから改めて濾過を行うような必要もない。そして、この洗浄の際に洗浄槽に収容された濾過モジュールに薬液供給手段が接続されるため、多数の濾過モジュールが浄水槽内に設置されていても、薬液の供給配管はこの洗浄槽側に備えられていればよく、複雑な配管の設置や接続は不要となり、さらにこの供給手段から供給された薬液は濾過水側から濾過モジュールを洗浄するので、その奥に入り込んだ汚れなども確実に洗浄することができて効率的な濾過モジュールの洗浄および濾過作業を図ることが可能となる。
【０００９】
ここで、この濾過モジュールが浄水槽内に直接的に浸漬されて設置されている場合には、この浄水槽とは別に設けた洗浄槽に上記搬送手段により濾過モジュールを搬送して洗浄を行うこととなるが、上記特願２００３−３０７３１号に係る濾過ユニットのように、濾過される浄水が導入される浄水槽内に設置されて上記浄水が内部に導入可能とされた有底筒状のケーシング内に濾過モジュールが収容されている場合には、上記搬送手段によってこのケーシングごと該濾過モジュールを上記浄水槽内から搬送するとともに、該ケーシングを上記洗浄槽として上記濾過モジュールを収容したまま洗浄することにより、別に洗浄槽を設ける必要がなくなって一層効率的である。勿論、このように濾過モジュールがケーシング内に収容されている場合でも、濾過モジュールのみを搬送手段により搬送して別に設けた洗浄槽に収容し、洗浄を行うようにしてもよい。
【発明を実施するための最良の形態】
【００１０】
図１ないし図２は本発明の洗浄装置の一実施形態を備えた濾過装置を示すものであって、上記特願２００３−３０７３１号のように濾過モジュールが有底筒状をなすケーシング内に収容されて濾過ユニット１が構成され、このような濾過ユニット１が浄水場の浄水槽１１に設置されている場合を示すものである。すなわち、この濾過ユニット１は、図４および図５に示すように濾過すべき浄水Ｗが導入可能とされた有底筒状のケーシング２内に濾過モジュール３が収容されたものであり、このケーシング２内には濾過モジュール３を該ケーシング２内でエアスクラビングにより洗浄する洗浄手段４が備えられ、さらに該ケーシング２にはこの洗浄手段４による洗浄後のケーシング２内の浄水Ｗを排出する排出手段７が備えられている。
【００１１】
ここで、本実施形態ではケーシング２は、ステンレス等の耐蝕性の高い金属材などにより、平面視に長方形の矩形状をなし、かつその高さがこの矩形の長・短辺の長さに対して大きくされた縦長の有底矩形筒状、すなわち矩形の筒の底部が閉塞された形状とされていて、この底部を下向きにしてその高さ方向を鉛直縦方向に向け、図１ないし図２に示すように濾過すべき浄水Ｗが導入されて保持される浄水槽１１内に浸漬されて設置される。
【００１２】
このケーシング２の底部は、下方に向かうに従い断面が漸次小さくなる下向きに凸の凸形状とされ、特に本実施形態では凸曲面形状とされている。具体的には、図５に示すように、ケーシング２の高さ方向に延びる４つの側壁面のうち、互いに対向する一対の第１側壁面２Ｅ、２Ｅの下端部が該ケーシング２の高さ方向（上下方向）に延びるとともに、その下端縁が該第１側壁面２Ｅに対向する側面視において下方に凸とされた凸曲線状とされる一方、他の互いに対向する残りの一対の第２側壁面２Ｄ、２Ｄの下端部は、上記第１側壁面２Ｅの下端縁に沿うように、下方に向かうに従い漸次互いに接近させられた凸曲面状とされて、これらの第１、第２側壁面２Ｅ、２Ｄの上記下端部が、ケーシング２の底部を画成するようになっている。
【００１３】
なお、本実施形態では、ケーシング２が上記平面視になす長方形において、第１側壁面２Ｅの上端縁は短辺を画成し、第２側壁面２Ｄの上端縁は長辺を画成するようになっている。また、本実施形態の第１側壁面２Ｅ、２Ｅの下端縁は単一の円弧とされていて、特に本実施形態では半円弧とされており、従って第２側壁面２Ｄ、２Ｄの下端部は互いに滑らかに連なって半円筒状を呈することになる。さらに、ケーシング２の下端には図４に示すようにドレン口２Ｇが配設されている。ただし、ケーシング２の底部は本実施形態の凸曲面形状に限られるものではなく、例えば上記他の一対の第２側壁面２Ｄ、２Ｄを一定の傾斜角で下方に向かうに従い互いに接近する傾斜平面状としたり、上記一対の第１側壁面２Ｅ、２Ｅも下方に向かうに従い漸次互いに接近する凸曲面状あるいは傾斜平面状としたりして、このケーシング２の底部を全体に亙って凸曲面状としたり、あるいは角錐台形状や下向きに凸となる切妻屋根形状としたりしてもよい。
【００１４】
一方、ケーシング２の上部には、該ケーシング２の内部に浄水Ｗを導入するための流入口２Ａが設けられており、この流入口２Ａには、該流入口２Ａを介しての浄水Ｗの流通を制御する図示しない制御手段が備えられている。ここで、本実施形態では、流入口２Ａは、ケーシング２が平面視になす長方形の短辺に沿う上記一対の第１側壁面２Ｅ、２Ｅのうち、一方の第１側壁面２Ｅの上部におけるその幅方向中央部に、該壁面２Ｅを貫通するように突設された一つの管状部材の内周面により構成されている。このように流入口２Ａを一つとすることにより、流入口２Ａが配設された第１側壁面２Ｅの強度の低下を最小限に抑制できるようになっている。また、上記制御手段は、この管状部材の根元部分に設けられたバタフライ弁等の開閉バルブによって構成されており、この開閉バルブを図示されない駆動手段によって駆動して流入口２Ａを開放することにより、該流入口２Ａを介して浄水Ｗがケーシング２内に導入可能とされ、また、流入口２Ａを閉鎖することによりケーシング２内が外部の浄水Ｗと隔絶されて該流入口２Ａを介しての浄水Ｗの流入およびケーシング２からの浄水Ｗの流出が阻止され、すなわち浄水Ｗの流通が制御されるようになされている。そして、上記流入口２Ａは、図４に示されるように、上記浄水槽１１に保持される浄水Ｗの水面部Ｈに開口する高さに設けられて該水面部Ｈに開口可能とされている。ただし、流入制御方法を限定するものではない。
【００１５】
さらに、上記ケーシング２の外周には、この流入口２Ａの周囲を取り囲むように仕切り板２Ｃが設けられている。本実施形態では、この仕切り板２Ｃは、流入口２Ａが配設された第１側壁面２Ｅの上部表面のうち、その幅方向における両端部からそれぞれ上記第２側壁面２Ｄ、２Ｄと平行に、かつ互いにも平行に突出するように延びる２枚の矩形状の板材と、これらの板材の突端の間に上記表面に平行に延びるやはり矩形状の板材とからなる平面視に「コ」字状のものであって、その上下は開放されたままとされている。そして、この仕切り板２Ｃは、図４に示すように上記流入口２Ａとの間に間隔をあけ、かつ上記浄水槽１１に保持される浄水Ｗの水面部Ｈの高さに位置するように配設されており、従って浄水Ｗは、この仕切り板２Ｃの下から該仕切り板２Ｃとケーシング２との間に入り込んで上記流入口２Ａからケーシング２内に導入されることとなる。これにより、水面部Ｈに浮いているゴミ等がそのままケーシング２内に導入されるのを防ぐことができるとともに、上記板材により流入口２Ａの周囲を限定的に取り囲むことによって、仕切り板２Ｃを設けたことによる濾過ユニット１の浄水槽１１内における占有体積の増大が最小限に抑制されるようになっている。
【００１６】
一方、ケーシング２内に収容される濾過モジュール３は、例えば中空糸膜をスクリーン状に張ったエレメントや平膜状の分離膜を有するエレメントを多数積層したり、あるいは管状のセラミック膜エレメントを多数本束ねたりしてなる膜モジュール３Ｋを備え、複数（図１および図２では３つ、図４および図５では４つが示されている。）のこのような膜モジュール３Ｋが図示されない枠体によって支持されてケーシング２よりも一回り小さな外形直方体状にとりまとめられ、かつ上記エレメントも図示されないヘッダ等によりまとめられてモジュール化されたものである。上記ヘッダは、膜濾過水管３Ａを介して図示されない吸引ポンプに接続されており、濾過モジュール３によって浄水Ｗから濾過された濾過水は、この吸引ポンプにより膜濾過水管３Ａを通して排出される。
【００１７】
なお、本実施形態では、横長直方体状のモジュールを段組みしているが、縦長のモジュールを横に並べたものでも良く、モジュール形状を限定するものではない。
【００１８】
さらに、上記洗浄手段４は、ケーシング２内に洗浄用流体として空気を散気して膜モジュール３Ｋ（濾過モジュール３）を洗浄する散気手段とされるとともに、本実施形態では、例えばケーシング２内の浄水Ｗに活性炭を添加した際にこの活性炭を均一に分散するための撹拌手段を兼ねたものとされている。すなわち、この散気手段（撹拌手段および洗浄手段４）は、例えば多数の下向きに開口する空気孔を有して図４および図５に示すように濾過モジュール３の下に配設される複数本の配管あるいは焼結管よりなる散気装置４Ａが、撹拌用流体供給管および洗浄用流体供給管としての空気管４Ｂを介して図示されないブロア等の空気供給源に接続された構成とされており、この空気供給源から供給された空気が空気管４Ｂを通して散気装置４Ａの上記配管に設けられた空気孔あるいは焼結管に形成される細かい気孔から噴出させられることにより、その上方のケーシング２内に保持された浄水Ｗを撹拌し、また該散気装置４Ａの上方に位置する膜モジュール３Ｋを散気によるエアスクラビングによって洗浄するようになされている。
【００１９】
さらに、本実施形態では、ケーシング２内に上記流入口２Ａから下方に向けて下降するように延びる下降管６Ａが備えられていて、この下降管６Ａの下端開口部６Ｂは、撹拌手段および洗浄手段４としての上記散気手段の散気装置４Ａよりも下方に位置させられており、この下降管６Ａによって、ケーシング２内に導入された浄水Ｗが濾過モジュール３に直接衝突するのを抑える濾過モジュール保護手段６が構成されている。ここで、上記下降管６Ａは、断面が偏平した「コ」字状をなしている。
【００２０】
なお、下降管６Ａは上記形態に限られるものではなく、例えば上記条材を平面視に流入口２Ａ側に開口する断面半円形状としたり、またケーシング２の内側に、上記第１側壁面２Ｅの裏面と平行でかつ間隔をあけるように別の壁面を新たに配設して、ケーシング２の内部空間を仕切ることによって、上記壁面と上記裏面との間の隙間を下降管６Ａとしたりするようにしてもよく、この断面形状は限定されるものではない。また、円管状や角管状等のパイプを流入口２Ａからケーシング２内の下方に延びるように配設して下降管６Ａとしてもよい。さらに、濾過モジュール保護手段６としては、このような下降管６Ａに代えて、例えばケーシング２の内部において流入口２Ａと対向し、かつその周囲が解放された板状体（じゃま板）を設けて、流入口２Ａから流入した浄水Ｗがこの板状体と衝突して濾過モジュール３には直接降りかからないようにしたり、あるいは流入口２Ａのケーシング２内側に目の細かい網状体を設け、浄水Ｗの流入の勢いを弱めて衝撃を緩和したりするようにしてもよい。
【００２１】
さらに、本実施形態における排出手段７においては、一端がケーシング２の底部に開口するとともに、他端がケーシング２の外部に配設される図示されない吸引ポンプに接続された排出管７Ａと、ケーシング２の底部に設けられたドレン口２Ｇにケーシング２の外部から接続された図４に鎖線で示すドレン排出管７Ｃとが備えられている。排出管７Ａは、吸引ポンプ側から濾過ユニット１のケーシング２直上に延びて該ケーシング２上部の開口部から上記高さ方向にケーシング２内に通されて、その一端が該ケーシング２底部に開口するように配設されており、しかも、この排出管７Ａの一端は、上述のように凸曲面状とされて下向きに凸とされたケーシング２内底部の下端近傍に下向きに開口するように配設されている。なお、本実施形態では濾過モジュール３の上記膜濾過水管３Ａやこの散気手段（撹拌手段および洗浄手段４）の上記空気管４Ｂも、上記排出管７Ａと同様に上部開口部からケーシング２内を通して濾過モジュール３のヘッダや散気装置４Ａに接続されている。一方、ドレン排出管７Ｃは例えば可撓性のあるフレキシブル管により構成され、ケーシング２の外部において、ケーシング２の上記高さ方向に延びてその一端部が浄水槽１１の外部に配設される図示しないポンプに接続されている。なお、ドレン排出管７Ｃはフレキシブル管に限られるものではなく例えば鋼管等の剛体管であってもよい。
【００２２】
また、ケーシング２の側壁面には、その上端部表面にそれぞれ、それらの幅方向に延在する支持部材２Ｆが、該側壁面の幅方向両端部から突出するように配設されている。この支持部材２Ｆは、本実施形態では、断面視矩形状とされるとともに、上記一対の第２側壁面２Ｄ、２Ｄにそれぞれ配設されている。この支持部材２Ｆは、濾過モジュール３がケーシング２内に配設された構成において、複数の膜モジュール３Ｋのうちその最上端の膜モジュール３Ｋ、流入口２Ａ、および仕切り板２Ｃの配設位置よりも上方に位置するように配設されている。また、支持部材２Ｆは例えばステンレス等の耐蝕性が高くかつ曲げ剛性の高い金属材などにより形成されており、ケーシング２や濾過モジュール３を含む濾過ユニット１の荷重を実質的に撓み無く支持できるようになっている。すなわち、図４に示すように、ケーシング２の底部を下向きにして上記高さ方向を鉛直縦方向に向けた状態で、支持部材２Ｆの下面を、内部に浄水Ｗが導入された浄水槽１１の上側開口端面Ｋに支持させて、濾過ユニット１を浄水Ｗに浸漬させたときに、支持部材２Ｆが実質的に撓まないようになっている。
【００２３】
このような濾過ユニット１を浄水槽１１内に設置した本発明に係わる濾過装置は、その上記浄水槽１１が、図１および図２において左右方向に長手方向を有する平面視に長方形の矩形状をなすように形成されて、この長方形状のまま下方に掘り下げられるように形成されており、本実施形態では図１および図２に示すように複数の同形同大同構造の上記濾過ユニット１が、上述のようにそのケーシング２の上記底部（ただし、図１および図２では凸形状ではなく平面状に示されている。）を下向きにして上記高さ方向を鉛直縦方向に向け、上記支持部材２Ｆによって上記高さ方向に同じ高さに支持されて、平面視に矩形状をなす浄水槽１１と同じく平面視に矩形状をなすこのケーシング２との互いの矩形の辺同士が平行となるように、かつ浄水槽１１の内壁部との間に間隔を開けるようにして、図１および図２に示すように上記長手方向に並列に収容され、この浄水槽１１内に導入される浄水Ｗ中に浸漬されるように設置される。なお、図４では、この浄水槽１１の幅方向（図４において左右方向、図１および図２においては図面に直交する方向）には１つの濾過ユニット１しか設置されていないが、必要に応じてこの幅方向にも例えば並列に複数の濾過ユニット１を設置するようにしてもよい。
【００２４】
そして、このような濾過装置に適用される本実施形態の濾過モジュール３の洗浄装置は、図１に示すように浄水槽１１内の濾過モジュール３を浄水槽１１外に設けられた洗浄槽２１Ａに搬送する搬送手段２２と、この洗浄槽２１Ａ内に搬送されて収容された濾過モジュール３に接続されて該濾過モジュール３に薬液Ｇを供給する薬液供給手段２２とを備えている。なお、本実施形態では、浄水槽１１内に設置された上記濾過ユニット１のうち、ケーシング２内の濾過モジュール３のみを搬送して洗浄する場合について説明する。ここで、該濾過モジュール３は、ケーシング２に対して上方に向けて挿脱自在とされており、すなわち上向きに開口して支持されることとなる有底筒状のケーシング２内に、その上部開口部から挿入されて上述したような該ケーシング２内の所定の高さで位置決めされて支持され、かつ上方に向けてはケーシング２を浄水槽１１内に残したまま濾過モジュール３のみが引き上げ可能とされている。
【００２５】
このような濾過モジュール３を搬送する本実施形態の上記搬送手段２２は、例えば図１に示すように浄水槽１１上から洗浄槽２１Ａ上にかけて延設されたホイスト搬送装置であり、すなわちこの浄水槽１１の上方にはレール２２Ａが掛け渡されていて、このレール２２Ａに昇降機（ホイスト）２２Ｂが該レール２２Ａに沿って走行して移動可能に設けられている。また、この昇降機２２Ｂにはワイヤーロープ２２Ｃがドラムに巻回されて設けられており、このワイヤーロープ２２Ｃの下端には、各濾過ユニット１の濾過モジュール３上端部に掛止される図示されないフック等の吊り下げ部が備えられている。なお、これら昇降機２２Ｂの移動やドラムの回転は図示されない電動モータ等の駆動手段により遠隔操作可能とされている。
【００２６】
このような搬送手段２２によって濾過モジュール３を搬送する際には、搬送すべき所定の濾過モジュール３を収容した濾過ユニット１の直上に昇降機２２Ｂを移動させ、次いで上記ドラムを回転させてワイヤーロープ２２Ｃを巻き解くことにより下降させ、その下端の上記吊り下げ部を上記所定の濾過モジュール３に掛止する。そして、この所定の濾過モジュール３の上記ヘッダに接続された膜濾過水管３Ａを取り外したりした上で、ワイヤーロープ２２Ｃを巻き上げることにより、上述のようにケーシング２に対して上方に挿脱自在とされた濾過モジュール３は、図１に示すようにケーシング２内から引き上げられ、その下端が洗浄槽２１Ａの上端よりも上方に位置した高さで保持されつつ、昇降機２２Ｂとともにこの洗浄槽２１Ａの直上に移動させられ、再びワイヤーロープ２２Ｃを下降させることで該洗浄槽２１Ａ内に収容される。
【００２７】
また、上記薬液供給手段２１は、次亜塩素酸等を含有した薬液Ｇを保持する薬液タンク２１Ｂと、洗浄槽２１Ａ内に収容された濾過モジュール３にこの薬液タンク２１Ｂから薬液Ｇを供給して循環させる循環ポンプ２１Ｃと、この循環ポンプ２１Ｃを介して上記薬液タンク２１Ｂと濾過モジュール３とを接続する接続管２１Ｄとにより構成されている。さらに、この接続管２１Ｄは、洗浄槽２１Ａに収容された濾過モジュール３の、搬送時に膜濾過水管３Ａが取り外された上記ヘッダ側に接続可能とされている。
【００２８】
そして、本実施形態の薬液供給手段２１では、薬液タンク２１Ｂから循環ポンプ２１Ｃにより接続管２１Ｄを介して供給された薬液Ｇが、濾過モジュール３の上記ヘッダから図３に拡大して示す上記中空糸膜等のエレメント３Ｂにおける濾過水側、すなわち濾過作業時に濾過されるべき浄水Ｗから該エレメント３Ｂによって濾過された濾過水が存在する側に押し込まれ、このエレメント３Ｂを介して洗浄槽２１Ａ内に排出される。また、こうして洗浄槽２１Ａに排出されて濾過モジュール３を浸漬するように保持された薬液Ｇは、循環ポンプ２１Ｃを逆転させることにより再びエレメント３Ｂを介して上記濾過水側に吸引されてヘッダから接続管２１Ｄを通って薬液タンク２１Ｂに返送され、このような薬液の押し込みと吸引とを繰り返すことで濾過モジュール３の上記エレメント３Ｂが洗浄されるようになされている。
【００２９】
このように構成された濾過モジュール３の洗浄装置および該洗浄装置を用いた本発明の濾過モジュール３の洗浄方法によれば、まず上記搬送手段２２によって濾過モジュール３が浄水槽１１から搬送されて浄水槽１１外の洗浄槽２１Ａ内に収容され、この洗浄槽２１Ａ内において薬液Ｇによる洗浄が行われるので、洗浄中や洗浄後に薬液Ｇが浄水槽１１内やケーシング２内の濾過される浄水Ｗ中に分散してしまうようなことがない。従って、このような薬液Ｇが混合した浄水Ｗが濾過されて上水道に供給されるのを防ぐために浄水槽１１内やケーシング２内の濾過される浄水Ｗを入れ替えたりするような必要もなくなり、洗浄された濾過モジュール３を搬送手段２２によって浄水槽１１のケーシング２内に収容して、その濾過ユニット１により速やかに濾過作業を再開することが可能となるので、浄水場のような大規模な浄水槽１１内に設置される濾過モジュール３においても効率的な洗浄を図ることができる。
【００３０】
また、このように濾過モジュール３が搬送手段２２によって浄水槽１１から洗浄槽２１Ａに搬送され、この洗浄槽２１Ａにおいて薬液供給手段２１に接続されて薬液Ｇによる洗浄が行われるので、例えば本実施形態に係る上記濾過装置のように浄水槽１１内に複数、あるいは多数の濾過モジュール３が収容されている場合でも、これらの濾過モジュール３にそれぞれ薬液供給手段２１を接続しておいたりする必要はなく、このような薬液供給手段２１との接続のためにその接続配管を複雑に取り回したりする必要もない。
【００３１】
そして、さらに上記洗浄方法および洗浄装置によれば、こうして濾過モジュール３に薬液供給手段２１が接続されて、該濾過モジュール３の上記濾過水側から薬液Ｇが押し込まれて洗浄が行われるので、この濾過モジュール３のエレメント３Ｂにおける上記中空糸膜等の奥側すなわち上記濾過水側にまで入り込んだ汚れも、確実に洗浄することが可能となる。しかも、本実施形態では、このように濾過モジュール３に押し込まれて洗浄槽２１Ａ内に排出された薬液Ｇが、循環ポンプ２１Ｃの逆転によって再び上記エレメント３Ｂを通過して濾過モジュール３に吸引され、その際にも濾過モジュール３の洗浄が図られるとともに、このような押し込みと吸引の操作が繰り返されるので、一層確実な膜モジュール３の洗浄を図ることが可能となる。
【００３２】
一方、上記特願２００３−３０７３１号と同様に濾過モジュール３が有底筒状をなすケーシング２内に収容されて構成された濾過ユニット１が浄水槽１１に設置された上記実施形態に係わる濾過装置では、例えば濾過モジュール３に付着物が付着したときにその上記洗浄手段４からの散気によって該濾過モジュール３を洗浄する際などに、このケーシング２内の浄水Ｗのみが撹拌されるだけとなり、浄水槽１１の底部に堆積した汚泥が巻き上げられたりすることがない。また、浄水槽１１に保持された浄水Ｗの水面部Ｈに浮いたゴミ等も、ケーシング２の流入口２Ａを取り囲む上記仕切り板２Ｃによりケーシング２内への導入が防がれるので、本実施形態によればこれらのゴミや汚泥に起因した有機物や生物スライム等の汚れが濾過モジュール３に発生、付着するのを抑制することができ、従って薬液Ｇによる洗浄の頻度を少なくして、さらに効率的な濾過作業を図ることが可能となる。
【００３３】
ところで、このように濾過モジュール３が有底筒状のケーシング２内に収容されて浄水槽１１に設置される上記濾過ユニット１を有する濾過装置に本発明を適用する場合には、このケーシング２自体が槽構造をなしていることから、浄水槽１１外に洗浄槽２１Ａを設けずに、図２に示すようにこのケーシング２ごと、すなわち濾過ユニット１ごと搬送手段２２によって浄水槽１１内から搬送して浄水槽１１外に設置し、その濾過モジュール３に上記薬液供給手段２１を接続して洗浄を行うようにしてもよい。このような濾過モジュール３の洗浄方法および洗浄装置によれば、洗浄槽２１Ａを設ける必要がないのでその構造をより簡略化することができるとともに、ケーシング２の内壁等に付着した汚れも薬液Ｇによって洗浄することができるといった利点も得られる。
【００３４】
なお、本実施形態のようにケーシング２の底部が凸曲面状に形成されている場合には、そのまま平坦な床面等にケーシング２を載置すると安定性が損なわれるので、浄水槽１１内にケーシング２を設置するのと同様に上記支持部材２Ｆによってケーシング２を、浄水槽１１外に設けたフレーム等に懸架するような状態で支持するのが望ましい。また、こうしてケーシング２ごと濾過モジュール３を搬送する場合には、ケーシング２にワイヤーロープ２２Ｃを掛止して濾過モジュール３を収容したまま搬送するようにしてもよい。
【００３５】
さらにまた、本実施形態では、このように濾過モジュール３が、浄水槽１１内に設置されたケーシング２内に収容されて濾過ユニット１を構成し、この濾過ユニット１のケーシング２内に浄水槽１１から導入された浄水Ｗを上記濾過モジュール３によって濾過する濾過装置に本発明を適用した場合について説明したが、このようなケーシング２を備えることなく、浄水槽１１に導入されて保持された浄水Ｗ中に直接的に濾過モジュール３を浸漬して濾過を行う濾過装置に本発明を適用することも可能である。ただし、この場合には上述のようにケーシング２を洗浄槽２１Ａとして薬液Ｇによる洗浄を行うことはできないので、浄水槽１１外に洗浄槽２１Ａを設ける必要がある。
【図面の簡単な説明】
【００３６】
【図１】本発明の洗浄装置の一実施形態を適用した濾過装置を示す浄水槽１１の長手方向に沿った縦断面図である。
【図２】図１に示す実施形態の変形例を適用した濾過装置を示す浄水槽１１の長手方向に沿った縦断面図である。
【図３】図１に示す実施形態により濾過モジュール３のエレメント３Ｂを洗浄する場合を説明する図である。
【図４】図１に示す濾過装置において濾過ユニット１を含む浄水槽１１の幅方向に沿った縦断面図である。
【図５】図１に示す濾過装置において浄水槽１１内に設置される濾過ユニット１を示す一部破断斜視透視図である。
【符号の説明】
【００３７】
１  濾過ユニット
２  ケーシング
３  濾過モジュール
１１  浄水槽
２１  薬液供給手段
２１Ａ  洗浄槽
２２  搬送手段
Ｗ  浄水
Ｇ  薬液
【図１】
2006181435.tif 000003
【図２】
2006181435.tif 000004
【図３】
2006181435.tif 000005
【図４】
2006181435.tif 000006
【図５】
2006181435.tif 000007